(57)【要約】【課題】  それぞれのデカルに対応した詳細情報をユーザに容易に確認させることのできる電子装置、情報提供方法、情報提供プログラム及び記録媒体の提供を目的とする。【解決手段】  所定の箇所にデカルが付された電子装置であって、前記デカルに対する人体の近接又は接触を検知する検知手段と、前記検知手段によって人体の近接又は接触が検知されたデカルに対応する詳細情報を検索する検索手段と、前記検索手段によって検索された前記詳細情報を表示させる表示手段とを有することにより上記課題を解決する。【選択図】  図２
2006091687.tif 000002
【特許請求の範囲】
【請求項１】
所定の箇所にデカルが付された電子装置であって、
前記デカルに対する人体の近接又は接触を検知する検知手段と、
前記検知手段によって人体の近接又は接触が検知されたデカルに対応する詳細情報を検索する検索手段と、
前記検索手段によって検索された前記詳細情報を表示させる表示手段とを有することを特徴とする電子装置。
【請求項２】
前記検索手段によって検索された詳細情報を音声出力する音声出力手段を更に有することを特徴とする請求項１記載の電子装置。
【請求項３】
前記検知手段は、人体の体温から発せられる赤外線を検知することにより人体の近接又は接触を検知することを特徴とする請求項１又は２記載の電子装置。
【請求項４】
前記検知手段は、人体の体温を検知することにより人体の近接又は接触を検知することを特徴とする請求項１乃至３いずれか一項記載の電子装置。
【請求項５】
前記検知手段は、人体が触れることによる圧力を検知することにより人体の近接又は接触を検知することを特徴とする請求項１乃至４いずれか一項記載の電子装置。
【請求項６】
所定の箇所にデカルが付された電子装置における情報提供方法であって、
前記デカルに対する人体の近接又は接触を検知する検知手順と、
前記検知手順において人体の近接又は接触が検知されたデカルに対応する詳細情報を検索する検索手順と、
前記検索手順において検索された前記詳細情報を表示させる表示手順とを有することを特徴とする情報提供方法。
【請求項７】
前記検索手順において検索された詳細情報を音声出力する音声出力手順を更に有することを特徴とする請求項６記載の情報提供方法。
【請求項８】
所定の箇所にデカルが付された電子装置に、
前記デカルに対する人体の近接又は接触を検知する検知手順と、
前記検知手順において人体の近接又は接触が検知されたデカルに対応する詳細情報を検索する検索手順と、
前記検索手順において検索された前記詳細情報を表示させる表示手順とを実行させるための情報提供プログラム。
【請求項９】
請求項８記載の情報提供プログラムが記録されたコンピュータ読み取り可能な記録媒体。
【発明の詳細な説明】
【技術分野】
【０００１】
本発明は、電子装置、情報提供方法、情報提供プログラム及び記録媒体に関し、特に所定の箇所にデカルが付された電子装置、情報提供方法、情報提供プログラム及び記録媒体に関する。
【背景技術】
【０００２】
プリンタ等の画像形成装置等では、例えば原稿又は記録用紙のジャムが発生すると、ユーザは機器の扉等を開けて、扉等の内側に示された操作手順に従ってジャムを除去する。このようなメンテナンスに関する操作手順は、一般的にはラベル、シール又はデカル等と呼ばれるシート状部材に印刷されており、このシート状部材は扉の内側等に接着されている。シート状部材に印刷されている説明事項（以下、「ガイダンス情報」という。）としては、操作手順に限定されず、操作説明、注意、警告、装置内の部品の配置、装置の商品名や機種番号、定格電圧や定格電流を示す定格銘板、サービス従業者への連絡先等が含まれる。例えばシート状部材に印刷される注意又は警告としては、温度に関するもの、火気に関するもの、感電に関するもの等が含まれる。
【特許文献１】特開２００３−２５５７７２号公報
【発明の開示】
【発明が解決しようとする課題】
【０００３】
しかしながら、従来、ガイダンス情報の表示内容は絵情報主体であるか、もしくは簡略的な一文のみの表記であったため、ユーザはその内容を正確に理解することができず、適切な処置を行うのが困難であるという問題があった。
【０００４】
また、より詳しい情報をユーザが得るためには、操作パネル上のメニューツリーの中から探し出したり、ユーザーマニュアルから探し出したりといった煩雑な作業が要求され、非常に非効率であった。
【０００５】
本発明は、上記の点に鑑みてなされたものであって、それぞれのデカルに対応した詳細情報をユーザに容易に確認させることのできる電子装置、情報提供方法、情報提供プログラム及び記録媒体の提供を目的とする。
【課題を解決するための手段】
【０００６】
そこで上記課題を解決するため、本発明は、請求項１に記載されるように、所定の箇所にデカルが付された電子装置であって、前記デカルに対する人体の近接又は接触を検知する検知手段と、前記検知手段によって人体の近接又は接触が検知されたデカルに対応する詳細情報を検索する検索手段と、前記検索手段によって検索された前記詳細情報を表示させる表示手段とを有することを特徴とする。
【０００７】
このような電子装置では、デカルに対して人体が近接又は接触することにより、当該デカルに対応した詳細情報をユーザに提供することができる。
【０００８】
また、上記課題を解決するため、本発明は、上記電子装置における情報提供方法、前記情報提供方法を前記電子装置に実行させるための情報提供プログラム、又は前記情報提供プログラムを記録した記録媒体としてもよい。
【発明の効果】
【０００９】
本発明によれば、デカルに対する人体の近接又は接触を検知し、人体の近接又は接触が検知されたデカルに対応する詳細情報を検索し、検索された前記詳細情報を表示させるので、それぞれのデカルに対応した詳細情報をユーザに容易に確認させることができる。
【発明を実施するための最良の形態】
【００１０】
以下、図面に基づいて本発明の実施の形態を説明する。本実施の形態においてはプリンタ、複写機等の画像形成装置を電子装置の具体例として説明する。図１は、本発明の実施の形態における画像形成装置の概略構成例を示す図である。
【００１１】
図１において、画像形成装置１０は、プリンタエンジンを含む画像形成装置本体１１と、画像形成装置本体１１に対する各種の指示を入力するための操作用入力キーやＬＥＤ等の表示パネル、及び音声若しくはビープ音を出力するスピーカ等から構成される操作部１２と、画像形成装置本体１１に対して各サイズの記録用紙を供給するための第１〜第４の給紙装置１３，１４，１５及び１６等とから構成される。
【００１２】
図２は、本発明の実施の形態における画像形成装置の機能構成例を示す図である。図２に示されるように、画像形成装置１０は、主制御回路１１０と、温度センサ１１１と、圧力センサ１１２と、赤外線センサ１１３と、操作部制御回路１２０と、第１〜第４の給紙装置制御回路１３０、１４０、１５０及び１６０と、圧板開閉検知センサ１７１と、原稿サイズ検知センサ１７２とを有する。
【００１３】
主制御回路１１０は、ＣＰＵ１１０１、ＲＡＭ１１０２、ＲＯＭ１１０３及びＩ／Ｏ（入出力）ポート等を含み、ＣＰＵ１１０１がＲＯＭ１１０３に格納されている各種プログラムを実行することにより画像形成装置１０全体の動作を制御する。ＲＡＭ１１０２は、ＣＰＵ１１０１が実行する演算の中間データや演算結果のデータ等の記憶に用いられる。
【００１４】
温度センサ１１１は、人体の体温を検知し電気信号に変換する。圧力センサ１１２は、任意の物体からの圧力を電気信号に変換する。赤外線センサ１１３は、人体の体温から発せられる赤外線を検知し電気信号に変換する。操作制御回路１２０は、操作部１２０の制御を行う。第１〜第４の給紙装置制御回路１３０，１４０，１５０及び１６０は、用紙サイズを検知するサイズセンサ等からの入力信号を受け取るとともに、給紙に必要な動作を行うモータ、クラッチ、ソレノイド等のアクチュエータを駆動するための制御信号を出力することにより第１〜第４の給紙装置１３，１４，１５及び１６を制御する。
【００１５】
圧板開閉検知センサ１７１は、例えば、センサ光の遮断の有無を検出する透過型のフォトセンサを用いて構成され、図示しない原稿台コンタクトガラス上に載置された原稿を押さえるための原稿押さえ圧板（図示せず）の開閉を検知する。原稿サイズ検知センサ１７２は、原稿台コンタクトガラス上に載置された原稿サイズを検知する。原稿サイズ検知センサ１７２は、例えば反射型のフォトセンサによって構成され、図示しない原稿スキャナに取り付けられている。なお、操作部制御回路１２０は、主制御回路１１０とシリアル通信路によって接続され、第１〜第４の給紙装置制御回路１３０，１４０，１５０及び１６０は主制御回路１１０とパラレル通信路によって接続されている。
【００１６】
本実施の形態における画像形成装置１０には、消耗部品の交換、消耗品の補充、故障部分の修理、記録用紙のジャム等の除去、部品の清掃等のメンテナンス作業等においてユーザが操作する箇所に、その操作に関する各種情報（例えば、操作手順、操作説明、警告、注意、電子装置内の部品（装置部分）の配置、電子装置の商品名、電子装置の機種番号、定格電圧、定格電流、及びサービス従業者への連絡先等（以下「ガイダンス情報」という。））が印刷されたシート状部材が貼り付けられている。かかるシート状部材は、一般に、ラベル、シール又はデカル等と呼ばれるが、本実施の形態においてはデカルで統一することとする。
【００１７】
図３は、本発明の実施の形態における画像形成装置に貼り付けられたデカルの例を示す図である。図３に示されるように画像形成装置１０の所定の箇所には、当該箇所に応じたデカル（デカル２１１〜デカル２１８等）が貼り付けられており、そのガイダンス情報は、絵情報が主なものとなっている。なお、図中のデカルにおけるガイダンス情報は絵情報のみによって構成されているが、デカルの中には絵情報のみではなく、簡単な一文によってガイダンス情報が示されているものもある。
【００１８】
図４は、本発明の実施の形態におけるデカルの構成例を説明するための図である。図４に示されるように、本実施の形態における一枚のデカル２００は、ガイダンス情報が印刷された薄膜シール１１４と、温度センサ１１１と、圧力センサ１１２とが一体構造をとることにより構成される。デカル２００の中心には、穴（窓）が設けられており、赤外線センサ１１３は、その穴を通してデカル２００の外側からの人体の体温から発せられる赤外線を検知することが可能となっている。但し、薄膜シール１１４と、温度センサ１１１と、圧力センサ１１２とは、必ずしも一体構造になっている必要はなく、ガイダンス情報が表示されている箇所（ここでは薄膜シール１１４）への人体の近接又は接触が検知できるような構成であればよい。
【００１９】
なお、温度センサ１１１と主制御回路１１０、圧力センサ１１２と主制御回路１１０、赤外線センサ１１３と主制御回路１１０とはそれぞれフィルムハーネス１１１０、フィルムハーネス１１２０、ハーネス１１３０によって接続される。
【００２０】
以下、画像形成装置１０において記録用紙のジャムが検知された場合等、操作部１２における表示パネルに、なんらかの異常の通知や警告等が表示された際における画像形成装置１０の動作について説明する。図５は、本発明の実施の形態における画像形成装置の動作を説明するためのフローチャートである。図５に示される動作は、ＲＯＭ１１０３に格納されたコンピュータプログラムがＣＰＵ１１０１によって処理されることにより実現される。なお、コンピュータプログラムは、ＲＯＭ１１０３以外のコンピュータ読み取り可能な記録媒体に格納されていても良い。コンピュータ読み取り可能な記録媒体としては、磁気記録媒体、光記録媒体、光磁気記録媒体、半導体記憶装置等が一例として挙げられる。
【００２１】
図５のステップＳ１０１において、デカル類表示モードが設定されているか否かが判定される。デカル類表示モードとは、デカルに対するユーザの近接又は接触等により、デカルに印刷されているガイダンス情報についてのより詳しい情報、例えばマニュアル等に記載されている情報（以下「詳細情報」という。）が、操作部１２の表示パネルに表示される状態をいい、操作部１２のキーを操作することにより予め設定することができる。
【００２２】
デカル類表示モードが設定されている場合、ステップＳ１０２に進み、赤外線センサ１１３により人体の体温から発せられる赤外線が検知されたか否かが判定される。すなわち、操作部１２には、記録用紙のジャム等の異常の通知等が表示されると共に、関連する操作箇所等が表示される。ユーザは、かかる表示に従って復旧作業等を行うことになるが、その操作箇所に本実施の形態におけるデカルが貼り付けられている場合に、ユーザの手等、体の一部がデカルに近接すると、そのデカルにおける赤外線センサ１１３によってユーザの体温から発せられる赤外線が検知されるというわけである。
【００２３】
ユーザの体温からの赤外線が検知されると、ステップＳ１０３に進み、該当デカルに対応した詳細情報がＲＯＭ１１０３より検索され、操作部１２の表示パネルに表示される。ステップＳ１０３に続いてステップＳ１０４に進み、音声ガイダンスの出力が設定されるか否かが判定される。音声ガイダンスの出力についても、操作部１２のキーを操作することにより予め設定することができる。
【００２４】
音声ガイダンスの出力が設定されている場合は、ステップＳ１０５に進み、該当デカルの詳細情報が音声によって操作部１２のスピーカより出力される。なお、音声ガイダンスの出力が設定されていない場合は、ステップＳ１０５の処理はスキップされる。
【００２５】
表示パネルに表示された、又は音声出力された詳細情報に基づいて、復旧作業等を行った後、ユーザが、操作部１２の表示パネルにおいて終了選択を行うとその旨が検知され（Ｓ１０６）、画像形成可能であるか否か、すなわち、正常状態に移行可能であるか否かが判定される（Ｓ１０７）。正常状態に移行可能であると判定されると、操作部１２の表示パネルには、通常の表示が行われる（Ｓ１０８）。
【００２６】
なお、ステップＳ１０２において赤外線センサ１１３によって赤外線が検知されなかった場合は、温度センサ１１１によってユーザの体温が検知されたか否かが判定される。すなわち、復旧作業等の際に該当デカルにユーザの体の一部が接触することにより、ユーザの体温が温度センサ１１１によって検知されるというわけである。温度センサ１１１によってユーザの体温が検知された場合は、上述したステップＳ１０３からステップＳ１０８までの処理が実行され、デカルの詳細情報の表示又は音声出力等が行われる。
【００２７】
また、ステップＳ１０９において温度センサ１１１によってユーザの体温が検知されなかった場合は、圧力センサ１１２によってデカルに対する圧力が検出されたか否かが判定される。すなわち、復旧作業等の際に該当デカルにユーザの体の一部が接触することにより、その接触による圧力が圧力センサ１１２によって検知されるというわけである。圧力センサ１１２によってユーザの接触が検知された場合は、上述したステップＳ１０３からステップＳ１０８までの処理が実行され、デカルの詳細情報の表示又は音声出力等が行われる。
【００２８】
上述したように、本実施の形態における画像形成装置１０によれば、復旧作業やメンテナンス作業等において、操作対象となる箇所のデカルにユーザの体の一部が近接したり接触したりすることで、該当デカルに対応した詳細情報を表示パネルに表示させたり、音声出力したりすることができる。したがって、ユーザに対して効率良くかつ確実にデカルの詳細情報を伝達することができきる。
【００２９】
なお、詳細情報の表示や音声出力を必要としない場合は、各モードの設定によりかかる動作を抑止することができる。
【００３０】
なお、本発明になる電子装置は画像形成装置に限定されず、ファクシミリ装置、印刷装置、複合装置、空調装置、自動販売機等の各種電子装置にも本発明が同様に適用可能であることは言うまでもなく、電子装置は携帯電話等の携帯型の電子装置であっても良い。要は、デカルとその詳細情報を表示させる表示パネルとを有する電子装置であれば、本発明を適用可能である。携帯型の電子装置の場合、装置自体が小型であるため、デカル自体も小さくなってしまい、ガイダンス情報の絵及び／又は文字が非常に小さくなってしまう。しかし、電池交換等の操作手順を携帯型の電子装置の表示パネルに表示することで、ユーザは必要な操作手順を誤認することなく把握することができる。
【００３１】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００３２】
【図１】本発明の実施の形態における画像形成装置の概略構成例を示す図である。
【図２】本発明の実施の形態における画像形成装置の機能構成例を示す図である。
【図３】本発明の実施の形態における画像形成装置に貼り付けられたデカルの例を示す図である。
【図４】本発明の実施の形態におけるデカルの構成例を説明するための図である。
【図５】本発明の実施の形態における画像形成装置の動作を説明するためのフローチャートである。
【符号の説明】
【００３３】
１０          画像形成装置
１１          画像形成装置本体
１２          操作部
１３          第１給紙装置
１４          第２給紙装置
１５          第３給紙装置
１６          第４給紙装置
１１０        主制御回路
１１１        温度センサ
１１２        圧力センサ
１１３        赤外線センサ
１３０        第１給紙装置制御回路
１４０        第２給紙装置制御回路
１５０        第３給紙装置制御回路
１６０        第４給紙装置制御回路
１７１        圧板開閉検知センサ
１７２        原稿サイズ検知センサ
１１０１      ＣＰＵ
１１０２      ＲＡＭ
１１０３      ＲＯＭ
１１１０、１１２０      フィルムハーネス
１１３０      ハーネス
【図１】
2006091687.tif 000003
【図２】
2006091687.tif 000004
【図３】
2006091687.tif 000005
【図４】
2006091687.tif 000006
【図５】
2006091687.tif 000007